(57)【要約】【課題】検査対象の機器の電源オン時の障害に関する情報を取得する画像処理装置を提供すること。【解決手段】入力された画像を処理して出力する画像処理手段と、電源状態をオンとオフとに遷移可能であって入力された画像を処理して出力する外部機器と通信する通信手段と、外部機器の電源状態をオンに遷移させる制御を行う外部機器電源オン制御手段と、外部機器の電源状態をオフに遷移させる制御を行う外部機器電源オフ制御手段と、外部機器の電源状態を検知する外部機器電源状態検知手段と、を有するよう、画像処理装置を構成する。【選択図】図２
2017011462.tif 000002
【特許請求の範囲】
【請求項１】
入力された画像を処理して出力する画像処理手段と、
電源状態をオンとオフとに遷移可能であって入力された画像を処理して出力する外部機器、と通信する通信手段と、
前記外部機器の電源状態をオンに遷移させる制御を行う外部機器電源オン制御手段と、
前記外部機器の電源状態をオフに遷移させる制御を行う外部機器電源オフ制御手段と、
前記外部機器の電源状態を検知する外部機器電源状態検知手段と、
を有することを特徴とする画像処理装置。
【請求項２】
前記通信手段は、前記画像処理手段における画像の入力または出力を行うことを特徴とする、請求項１に記載の画像処理装置。
【請求項３】
前記外部機器電源オン制御手段が前記外部機器の電源状態をオンに遷移させる制御を行ってから前記外部機器の電源状態がオンであることを前記外部機器電源状態検知手段が検知すると、第１の時間経過後に前記外部機器電源オフ制御手段が前記外部機器の電源状態をオフに遷移させる制御を行うことを特徴とする、請求項１または２に記載の画像処理装置。
【請求項４】
前記外部機器電源オフ制御手段が前記外部機器の電源状態をオフに遷移させる制御を行ってから第２の時間内に、前記外部機器電源オン制御手段が前記外部機器の電源状態をオンに遷移させる制御を行うことを特徴とする、請求項１ないし３のいずれか１項に記載の画像処理装置。
【請求項５】
前記通信手段は前記外部機器と通信するための複数の通信経路を有し、
前記外部機器電源状態検知手段は、前記複数の通信経路から選択された一の通信経路により前記外部機器の電源状態を検知することを特徴とする、請求項１ないし４のいずれか１項に記載の画像処理装置。
【請求項６】
前記通信手段により前記外部機器の動作ログを取得する外部機器動作ログ取得手段と、
取得した前記動作ログを保存する外部機器動作ログ保存手段とを有することを特徴とする、請求項１ないし５のいずれか１項に記載の画像処理装置。
【発明の詳細な説明】
【技術分野】
【０００１】
本発明は、画像処理装置に関する。
【背景技術】
【０００２】
障害の発生した機器から障害に関する情報を取得する技術が知られている。障害に関する情報を取得することにより、障害への迅速な対応が可能となる。例えば特許文献１に、障害情報をセンター装置に通報する通信装置が記載されている。
【０００３】
しかし、機器自身が障害を検出するような仕組みだと、障害検出モジュール自体に問題があった場合に、適切に障害を検出することができない。また、障害検出モジュールと検査対象モジュールとが干渉して適切に障害が検出できないこともある。
【０００４】
このような問題を回避するため、検査対象の機器とは別の機器により検査を実行することが考えられている。例えば特許文献２に、モデムに接続された監視用カメラに対して定期的に状態確認コマンドを送信する上位側モデムが記載されている。
【発明の概要】
【発明が解決しようとする課題】
【０００５】
検査対象の機器とは別の機器により検査を実行する場合においては、検査対象の機器の状態によっては障害に関する詳細な情報を得ることができず、特に電源オン時の障害に関する情報を取得することができない。例えば特許文献２に記載の上位側モデムの場合、監視用カメラが状態確認コマンドへの応答が不能な状態であれば、応答不能な状態であること以上の情報を得ることができない。
【０００６】
本発明は、上記のような課題を解決するためになされたものであり、検査対象の機器の電源オン時の障害に関する情報を取得する画像処理装置を提供することを目的とする。
【課題を解決するための手段】
【０００７】
上述した課題を解決するために、本発明にかかる画像処理装置は、入力された画像を処理して出力する画像処理手段と、電源状態をオンとオフとに遷移可能であって入力された画像を処理して出力する外部機器と通信する通信手段と、外部機器の電源状態をオンに遷移させる制御を行う外部機器電源オン制御手段と、外部機器の電源状態をオフに遷移させる制御を行う外部機器電源オフ制御手段と、外部機器の電源状態を検知する外部機器電源状態検知手段と、を有する。
【発明の効果】
【０００８】
本発明にかかる画像処理装置は、検査対象の機器の電源オン時の障害に関する情報を取得することができる。
【図面の簡単な説明】
【０００９】
【図１】本発明の第１の実施形態にかかる画像処理装置１と外部機器２との関係を示す図である。
【図２】本発明の第１の実施形態にかかる画像処理装置１の機能ブロック図である。
【図３】本発明の第１の実施形態にかかる画像処理装置１のハードウェア構成例を示す図である。
【図４】本発明の第１の実施形態にかかる画像処理装置１のフローチャートである。
【図５】本発明の第２の実施形態にかかる画像処理装置１のメニュー画面である。
【図６】本発明の第３の実施形態にかかる画像処理装置１のメニュー画面である。
【図７】外部機器２の動作ログの例を示す図である。
【図８】本発明の第５の実施形態にかかる画像処理装置１のメニュー画面である。
【発明を実施するための形態】
【００１０】
［第１の実施形態］
図１は、本発明の第１の実施形態にかかる画像処理装置１と外部機器との関係を示す図である。図１を参照すると、本発明の第１の実施形態にかかる画像処理装置１は、外部機器２と通信可能に接続され、外部機器２の電源オンオフを制御し、外部機器２の電源状態を検知する。
【００１１】
図２は、本発明の第１の実施形態にかかる画像処理装置１の機能ブロック図である。図２を参照すると、本発明の第１の実施形態にかかる画像処理装置１は、画像処理手段１０と、通信手段２０と、外部機器電源オン手段３０と、外部機器電源オフ手段４０と、外部機器電源状態検知手段５０とを有する。
【００１２】
画像処理手段１０は、入力された画像を処理して出力する。例えば光学的に読み取った画像の印刷媒体への印刷であるコピー、光学的に読み取った画像のファイル出力であるスキャン、光学的に読み取った画像の電話回線への送信であるファックス送信、受信した画像イメージの印刷媒体への印刷であるプリント等が該当するが、これに限らない。
【００１３】
通信手段２０は、外部機器２と通信し、データの送受信を行う。
【００１４】
外部機器電源オン手段３０は、通信手段２０を介して接続される外部機器２の電源状態をオンに遷移させる制御を行う。
【００１５】
外部機器電源オフ手段４０は、通信手段２０を介して接続される外部機器２の電源状態をオフに遷移させる制御を行う。
【００１６】
外部機器電源状態検知手段５０は、通信手段２０を介して接続される外部機器２の電源状態を検知する。
【００１７】
図３は、本発明の第１の実施形態１にかかる画像処理装置１のハードウェア構成例を示す図である。図３を参照すると、本発明の第１の実施形態にかかる画像処理装置１は、ＣＰＵ１００、メモリ１１０、不揮発記憶部１２０、ＵＩ部１３０、印刷部１４０、光学読取部１５０、画像通信部１６０、外部機器通信部１７０を有する。
【００１８】
ＣＰＵ１００は、不揮発記憶部１２０に記憶された各種プログラムを読み出し、メモリ１１０にロードして実行する。
【００１９】
ＵＩ部１３０は、液晶ディスプレイなどの表示部とタッチパネルなどの入力部とを有し、装置の操作状態の表示およびユーザの操作の受付を行う。
【００２０】
印刷部１４０は、プロッタやレーザプリンタ、インクジェットプリンタなどのぽプリンタであり、画像処理手段１０の出力する画像を印刷媒体に印刷する。
【００２１】
光学読取部１５０は画像を光学的に読み取る装置であり、ＣＣＤ（Charge Coupled Devices）やＣＩＳ（Contact Image Sensor）などのセンサーで読み取った画像を画像処理手段１０に入力する。
【００２２】
画像通信部１６０は、画像処理手段１０による処理前後の画像の通信を行う。画像通信部１６０は、例えば電話回線、ＬＡＮ、ＵＳＢ、PCI Express、Bluetooth（登録商標）などの通信インタフェースによる通信を行うが、これに限らない。
【００２３】
外部機器通信部１７０は、外部機器２の電源状態を取得する。例えば、外部機器２のＩＯポートから画像処理エンジンのレディ信号を引き出し、画像処理装置１のＩＯポートに接続してモニタすることで、電源状態の取得が可能である。なお、外部機器通信部１７０を独立したハードウェアとして有さず、画像通信部１６０として使用する通信インタフェースを画像通信部１６０と共用して外部機器２の電源状態を取得するようにしてもよい。
【００２４】
このようなハードウェアにより、本発明の第１の実施形態にかかる画像処理装置１の各機能ブロックを構成することができる。
【００２５】
外部機器２は、電源状態をオンとオフとに遷移可能であって、入力された画像を処理して出力する機能を有する。外部機器２は、例えば図３に示す本発明の第１の実施形態にかかる画像処理装置１と同様のハードウェアにより構成することができる。
【００２６】
続いて、本発明の第１の実施形態にかかる画像処理装置１の処理を説明する。図４は、本発明の第１の実施形態にかかる画像処理装置１のフローチャートである。
【００２７】
図４を参照すると、本発明の第１の実施形態にかかる画像処理装置１は、外部機器電源オン手段３０により外部機器２の電源状態をオンに遷移させる制御を行う（ステップＳ１）。かかる制御は、外部機器２に対して通信手段２０を介して電源オン制御信号を出力することにより可能である。
【００２８】
続いて本発明の第１の実施形態にかかる画像処理装置１は、外部機器電源状態検知手段５０により外部機器２の電源状態を検知する。このとき、電源状態がオンであると検知すると（ステップＳ２‐Ｙ）、所定時間（Ａ秒）処理を停止する（ステップＳ３）。
【００２９】
一方、外部機器２の電源状態がオンであると検知されないと（ステップＳ２‐Ｎ）、本発明の第１の実施形態にかかる画像処理装置１は、そのまま待機する。この状態のとき、外部機器２は起動時の障害が発生している状態であり、外部機器２にＩＣＥ（In-circuit Emulator）を接続したり外部機器の動作ログを解析したりすることで、電源オン処理フローにおける障害の原因を特定することができる。
【００３０】
電源状態がオンであると検知してから所定時間経過後に、本発明の第１の実施形態にかかる画像処理装置１は、外部機器電源オフ手段４０により外部機器２の電源状態をオフに遷移させる制御を行う（ステップＳ４）。続いて所定時間（Ｂ秒）処理を停止した後に（ステップＳ５）、再び電源状態をオンに制御させる制御を行う。
【００３１】
ここで、所定時間処理を停止してから再び電源状態をオンに制御させる制御を行うまでに、外部機器２の電源状態を検知する処理を行い、電源状態がオフであると検知されるまで待機するようにしてもよい。このようにすると、電源オフ処理フローにおける障害の原因の調査を行うことができる。
【００３２】
［第２の実施形態］
次に、本発明の第２の実施形態にかかる画像処理装置１を、第１の実施形態との相違点に絞って説明する。本発明の第２の実施形態にかかる画像処理装置１では、電源オン制御して電源オンを検知してから電源オフ制御するまでの時間（Ａ秒）と電源オフ制御してから電源オン制御するまでの時間（Ｂ秒）とをユーザが設定可能となっている。
【００３３】
図５は、本発明の第２の実施形態にかかる画像処理装置１のメニュー画面である。図５を参照すると、電源オフまでの時間（Ａ秒）として「２０秒」、電源オンまでの時間（Ｂ秒）として「３０秒」が表示されている。ユーザはこれらの時間を、ボタンやタッチパネルなどの図示しない入力装置を操作して任意に変更することができる。
【００３４】
［第３の実施形態］
次に、本発明の第３の実施形態にかかる画像処理装置１を、第１の実施形態との相違点に絞って説明する。本発明の第３の実施形態にかかる画像処理装置１では、外部機器２の電源状態を検知するための通信経路が複数ある場合に、これを選択して検知することができる。
【００３５】
図６は、本発明の第３の実施形態にかかる画像処理装置１のメニュー画面である。図６を参照すると、外部機器２の電源状態をモニタする信号を「信号Ａ」と「信号Ｂ」とが選択可能に表示されている。ユーザはこれらの信号を一つ以上選択することにより、選択された信号による電源状態のモニタを指定することができる。複数の信号を選択した場合にＡＮＤ条件で判定するかＯＲ条件で判定するかは、いずれかに定められていてもよいし、別メニュー画面にてユーザが指定できるようになっていてもよい。
【００３６】
［第４の実施形態］
次に、本発明の第４の実施形態にかかる画像処理装置１を、第１の実施形態との相違点に絞って説明する。本発明の第４の実施形態にかかる画像処理装置１では、外部機器２の動作ログを取得し、保存する。動作ログは、上述した通信手段により取得することができる。具体的には、ＵＳＢなどの汎用インタフェースであってもよいし、専用インタフェースを設けてもよい。図７は、外部機器の動作ログの例を示す図である。このように構成することにより、外部機器２にＩＣＥ（In-circuit Emulator）を接続することができない状況であっても、画像処理装置１によって動作ログを取得し、詳細な障害解析が可能となる。
【００３７】
［第５の実施形態］
次に、本発明の第５の実施形態にかかる画像処理装置１を、第１の実施形態との相違点に絞って説明する。本発明の第５の実施形態にかかる画像処理装置１は、外部機器２と同等の画像処理機能を有し、画像処理動作と外部機器の電源制御動作とを選択可能である。図８は、本発明の第５の実施形態にかかる画像処理装置１のメニュー画面である。このように構成することにより、障害の発生した外部機器２の代替として画像処理装置１を使用しつつ、外部機器２の障害解析を行うことができる。
【符号の説明】
【００３８】
１    画像処理装置
２    外部機器
１０    画像処理手段
２０    通信手段
３０    外部機器電源オン手段
４０    外部機器電源オフ手段
５０    外部機器電源状態検知手段
１００    ＣＰＵ
１１０    メモリ
１２０    不揮発記憶部
１３０    ＵＩ部
１４０    印刷部
１５０    光学読取部
１６０    画像通信部
１７０    外部機器通信部
【先行技術文献】
【特許文献】
【００３９】
【特許文献１】特開２００５−１５１０３２号公報
【特許文献２】特開２０１２−１７５６４４号公報
【図１】
2017011462.tif 000003
【図２】
2017011462.tif 000004
【図３】
2017011462.tif 000005
【図４】
2017011462.tif 000006
【図５】
2017011462.tif 000007
【図６】
2017011462.tif 000008
【図７】
2017011462.tif 000009
【図８】
2017011462.tif 000010